(57)【要約】【課題】巻始口への落ち込みを規制して引き出し時の電線やケーブルの傷付きを防止することが可能な、電線・ケーブル用巻取りドラムを提供する。【解決手段】挿入穴１３及び規制面１４を有する本体部１０と、この本体部１０に連成される押さえ板部１１とを形成することによりなる伸縮性のアダプター９を備える。アダプター９は、この本体部１０が電線・ケーブル用巻取りドラム１の巻始口８に挿入される。巻始口８に本体部１０が挿入された状態において、ドラム鍔部４の内面１６側から巻始口８を見ると、巻始口８の開口部分には本体部１０の規制面１４が配置される。【選択図】図１
2010254381.tif 000002
【特許請求の範囲】
【請求項１】
筒状のドラム胴部と、該ドラム胴部の両端部に配置される一対のドラム鍔部と、該一対のドラム鍔部を前記ドラム胴部に固定する複数の締結部材とを備え、前記一対のドラム鍔部の一方には、巻取り対象となる電線・ケーブルの巻始端を内側から外側へ挿通するための巻始口を形成してなる電線・ケーブル用巻取りドラムにおいて、
前記巻始口に挿入される本体部を有するアダプターを更に備え、前記本体部には、前記電線・ケーブルの径に合わせて貫通する挿入穴と、前記ドラム胴部に巻き取られた前記電線・ケーブルの前記巻始口への入り込みを規制する規制面とを形成する
ことを特徴とする電線・ケーブル用巻取りドラム。
【請求項２】
請求項１に記載の電線・ケーブル用巻取りドラムにおいて、
前記本体部は、前記ドラム鍔部の外側から内側へ向けて前記巻始口に挿入される部分として形成され、このような前記本体部には、前記巻始口への挿入に伴って前記ドラム鍔部の外面に当接する押さえ板部を連成する
ことを特徴とする電線・ケーブル用巻取りドラム。
【請求項３】
請求項１又は請求項２に記載の電線・ケーブル用巻取りドラムにおいて、
前記押さえ板部には、前記ドラム鍔部に対しステップルでの固定を行うためのステップル固定部を形成する
ことを特徴とする電線・ケーブル用巻取りドラム。
【請求項４】
請求項１ないし請求項３いずれか記載の電線・ケーブル用巻取りドラムにおいて、
前記アダプターは伸縮性を有する
ことを特徴とする電線・ケーブル用巻取りドラム。
【発明の詳細な説明】
【技術分野】
【０００１】
本発明は、電線やケーブルを巻き取るための電線・ケーブル用巻取りドラムに関する。
【背景技術】
【０００２】
電線やケーブルの保管・搬送のために、電線やケーブルを巻き取る木製の巻取りドラム（電線・ケーブル用巻取りドラム）は、従来から多く使用されている。巻取りドラムは、円筒形状に形成されてここに電線やケーブルが巻き付くドラム胴部と、このドラム胴部を両開口端側から挟持する円板形状の一対のドラム鍔部と、一対のドラム鍔部を締め付けてドラム胴部に固定する締結部材とを備えて構成されている。
【０００３】
一対のドラム鍔部の一方には、巻始口が貫通形成されている。この巻始口は、巻取り対象となる電線やケーブルの巻始端を内側から外側へ挿通するために開口する部分として形成されている。巻始口は比較的大きく開口するように形成されている。巻始口を有する電線・ケーブル用巻取りドラムに関しては、例えば下記特許文献１に開示されている。
【先行技術文献】
【特許文献】
【０００４】
【特許文献１】特開昭５２−６４６７９号公報
【発明の概要】
【発明が解決しようとする課題】
【０００５】
ところで、上記従来技術にあっては、巻始口が比較的大きな開口となるように形成されていることから、外径の細い電線やケーブルを巻き取る場合に、この外径の細い電線やケーブルを巻始口に挿通すると、挿通された電線やケーブルの周囲には大きな空きスペースが生じてしまうことになる。このため、巻取りドラムに巻き取られた電線やケーブルは、ケーブル鍔部の内面に接する側で巻始口に落ち込んでしまう可能性があり、仮に巻始口に落ち込んだ場合においては、このままの状態で電線やケーブルの引き出しを行うと、電線やケーブルの被覆外面に傷を付けてしまうという虞を有している。
【０００６】
本発明は、上記した事情に鑑みてなされたもので、巻始口への落ち込みを規制して引き出し時の電線やケーブルの傷付きを防止することが可能な、電線・ケーブル用巻取りドラムを提供することを課題とする。
【課題を解決するための手段】
【０００７】
上記課題を解決するためになされた請求項１記載の本発明の電線・ケーブル用巻取りドラムは、筒状のドラム胴部と、該ドラム胴部の両端部に配置される一対のドラム鍔部と、該一対のドラム鍔部を前記ドラム胴部に固定する複数の締結部材とを備え、前記一対のドラム鍔部の一方には、巻取り対象となる電線・ケーブルの巻始端を内側から外側へ挿通するための巻始口を形成してなる電線・ケーブル用巻取りドラムにおいて、前記巻始口に挿入される本体部を有するアダプターを更に備え、前記本体部には、前記電線・ケーブルの径に合わせて貫通する挿入穴と、前記ドラム胴部に巻き取られた前記電線・ケーブルの前記巻始口への入り込みを規制する規制面とを形成することを特徴としている。
【０００８】
このような特徴を有する本発明によれば、アダプターの本体部を巻始口に挿入し、この時、ドラム鍔部の内面側から巻始口を見ると、巻始口の開口部分には本体部の規制面が配置される。この後に例えば外径の細い電線やケーブルを巻き取ると、規制面が外径の細い電線やケーブルの巻始口への落ち込み（入り込み）を規制する。
【０００９】
請求項２記載の本発明の電線・ケーブル用巻取りドラムは、請求項１に記載の電線・ケーブル用巻取りドラムにおいて、前記本体部は、前記ドラム鍔部の外側から内側へ向けて前記巻始口に挿入される部分として形成され、このような前記本体部には、前記巻始口への挿入に伴って前記ドラム鍔部の外面に当接する押さえ板部を連成することを特徴としている。
【００１０】
このような特徴を有する本発明によれば、巻始口にアダプターの本体部を挿入する時、この本体部は押さえ板部がドラム鍔部の外面に当接するまで挿入される。アダプターは、ドラム鍔部の外側から巻始口に組み付けられる（内側からの組み付けの場合、作業し難いのは勿論のこと、押さえ板部がドラム鍔部の内面から突出し、これにより電線やケーブルの巻取りに影響を来す恐れがある。しかしながら、本発明はドラム鍔部の外側からの組み付けになることから、上記の影響を来すようなことはない）。
【００１１】
請求項３記載の本発明の電線・ケーブル用巻取りドラムは、請求項１又は請求項２に記載の電線・ケーブル用巻取りドラムにおいて、前記押さえ板部には、前記ドラム鍔部に対しステップルでの固定を行うためのステップル固定部を形成することを特徴としている。
【００１２】
このような特徴を有する本発明によれば、アダプターはドラム鍔部に対してステップルで固定される。アダプターが固定されることにより、このズレがより確実に防止され、巻始口への電線やケーブルの落ち込み規制は維持される。
【００１３】
請求項４記載の本発明の電線・ケーブル用巻取りドラムは、請求項１ないし請求項３いずれか記載の電線・ケーブル用巻取りドラムにおいて、前記アダプターは伸縮性を有することを特徴としている。
【００１４】
このような特徴を有する本発明によれば、伸縮性のあるアダプターであることから、本体部を若干大きめに形成しておくことにより、開口の大きさにバラツキがある巻始口に対応することが可能になる。すなわち、開口寸法のバラツキは伸縮性によって吸収される。アダプターは巻始口に対して確実に組み付けられる。
【００１５】
アダプターに伸縮性を持たせるためには、例えば発泡ウレタン等の材料を用いてアダプターを製造すればよい。伸縮性のあるアダプターであれば、本体部の挿入穴に電線やケーブルを挿通しても、この部分での傷付きが生じるようなこともない。
【発明の効果】
【００１６】
請求項１に記載された本発明によれば、アダプターを備え、このアダプターの本体部を巻始口に挿入することにより、特に外径の細い電線やケーブルの巻始口への落ち込みを規制することができるという効果を奏する。これにより、引き出し時の電線やケーブルの傷付きを防止することができるという効果を奏する。
【００１７】
請求項２に記載された本発明によれば、押さえ板部を有することにより、アダプターの本体部を所定位置まで確実に挿入することができるという効果を奏する。また、本発明によれば、ドラム鍔部の外側からアダプターを巻始口に組み付けるようになることから、この組み付けを内側からの組み付けと比べれば格段にし易くすることができるという効果を奏する。
【００１８】
請求項３に記載された本発明によれば、押さえ板部にステップル固定部を形成することにより、アダプターのズレを防止することができるという効果を奏する。これにより、巻始口への電線やケーブルの落ち込み規制を維持し続けることができるという効果を奏する。
【００１９】
請求項４に記載された本発明によれば、開口の大きさにバラツキがある巻始口であっても、確実にアダプターを組み付けることができるという効果を奏する。
【図面の簡単な説明】
【００２０】
【図１】本発明の電線・ケーブル用巻取りドラムを示す図であり、（ａ）は正面図、（ｂ）は側面図である。
【図２】アダプターの図であり、（ａ）は巻始口に挿入される内面側から見た斜視図、（ｂ）は外面側から見た斜視図である。
【図３】アダプターによって電線・ケーブルの落ち込み規制をしている状態の図であり、（ａ）は縦断面図、（ｂ）は横断面図である。
【図４】図３に対する比較の図であり、（ａ）は電線・ケーブルの落ち込みを示す縦断面図、（ｂ）は電線・ケーブルの落ち込みを示す横断面図である。
【発明を実施するための形態】
【００２１】
挿入穴及び規制面を有する本体部と、この本体部に連成される押さえ板部とを形成することによりなる伸縮性のアダプターを備える。アダプターは、この本体部が電線・ケーブル用巻取りドラムの巻始口に挿入される。巻始口に本体部が挿入された状態において、ドラム鍔部の内面側から巻始口を見ると、巻始口の開口部分には本体部の規制面が配置される。
【実施例】
【００２２】
以下、図面を参照しながら実施例を説明する。図１は本発明の電線・ケーブル用巻取りドラムを示す図である。また、図２はアダプターの図、図３はアダプターによって電線・ケーブルの落ち込み規制をしている状態の図、図４は図３に対する比較の図である。
【００２３】
図１において、電線・ケーブル用巻取りドラム１（以下、巻取りドラムと略記する）は、円筒形状のドラム胴部２と、このドラム胴部２を両開口端側から挟持する円板形状の一対のドラム鍔部３、４と、一対のドラム鍔部３、４を締め付けてドラム胴部２に固定する締結部材５とを備えて構成されている。ドラム胴部２及び一対のドラム鍔部３、４は木製となっている。
【００２４】
ドラム鍔部３は、本実施例において、板６を二枚重ね合わせて形成されている。また、ドラム鍔部４も同様に板７を二枚重ね合わせて形成されている。ドラム鍔部４の所定位置には、巻始口８が貫通形成されている。この巻始口８には、本発明の特徴となるアダプター９が組み付けられている。以下、アダプター９について説明する（アダプター９以外は公知のものと同じであるものとする）
【００２５】
図１及び図２において、アダプター９は、本体部１０と、この本体部１０に連成される押さえ板部１１とを有している。本実施例のアダプター９は、発泡ウレタン製であって、この全体に適度な伸縮性を持たせるように形成されている（組み付け先となる巻始口８の開口寸法にバラツキがある可能性があることから、このバラツキを吸収するために伸縮性を適度に持たせることが好ましい。尚、発泡ウレタン以外の材質としては、電線やケーブルの被覆材に傷を付けない材質であれば特に限定されないものとする）。
【００２６】
本体部１０は、巻始口８の開口をドラム鍔部４の外面１２側から見た時の形状に合わせて形成されている。また、本体部１０は、巻始口８の穴深さ（ドラム鍔部４の厚み）に合わせた高さ寸法を有するように形成されている。本体部１０は、巻始口８の開口形状よりも若干大きく（一回り大きく）形成されている。このような本体部１０には、挿入穴１３と規制面１４とが形成されている。
【００２７】
図１ないし図３において、挿入穴１３は、巻取り対象となる電線・ケーブル１５の径に合わせて貫通するように、また、所定の角度で傾くように形成されている。挿入穴１３は、規制面１４から押さえ板部１１にかけて貫通するように形成されている。
【００２８】
規制面１４は、本体部１０を巻始口８に挿入した時に、この巻始口８をドラム鍔部４の内面１６側から見ると、巻始口８の開口部分に配置される平坦な面であって、ドラム鍔部４の内面１６にも略面一となるように配置形成されている。規制面１４は、電線・ケーブル１５の巻始口８への落ち込み（入り込み）を規制するための部分として形成されている。
【００２９】
押さえ板部１１は、本体部１０を巻始口８に挿入した時に、ドラム鍔部４の外面１２に対して当接する部分として形成されている。押さえ板部１１は、長方形の板状に形成されている。このような押さえ板部１１には、ドラム鍔部４に対してステップル１７での固定を行うためのステップル固定部１８が形成されている。ステップル固定部１８は、本実施例において四隅に配置形成されている（一例であるものとする）。
【００３０】
上記構成において、アダプター９をドラム鍔部４の外側から組み付けると、巻始口８には本体部１０が挿入される。本体部１０の挿入は、押さえ板部１１がドラム鍔部４の外面１２に当接するまで行われる。この後、ステップル１７での固定を行うと、アダプター９はドラム鍔部４に対して固着される。巻始口８をドラム鍔部４の内面１６側から見ると、巻始口８の開口部分には規制面１４が配置される。
【００３１】
このようにアダプター９を組み付けた状態で、例えば図３に示す如く外径の細い電線・ケーブル１５を巻き取ると、規制面１４が外径の細い電線・ケーブル１５の巻始口８への落ち込み（入り込み）を規制する。
【００３２】
尚、アダプター９を組み付けない場合にあっては、図４に示すような状態になる。すなわち、巻始口８の大きさに対して十分に細い電線・ケーブル１５であれば、この周り大きな空きスペース１９が生じ、巻き取られた電線・ケーブル１５は、ケーブル鍔部４の内面１６に接する側で巻始口８に落ち込んでしまう（矢印で示すように移動して巻始口８に入り込む）。従って、このような状態から電線・ケーブル１５の引き出しを行うと、電線・ケーブル１５の被覆外面に傷を付けてしまうという虞を有している。
【００３３】
以上、図１ないし図４を参照しながら説明してきたように、本発明によれば、アダプター９を備え、このアダプター９の本体部１０を巻始口８に挿入することにより、特に外径の細い電線・ケーブル１５の巻始口８への落ち込みを規制することができる。これにより、本発明は、引き出し時の電線・ケーブル１５の傷付きを防止することができる。
【００３４】
本発明は本発明の主旨を変えない範囲で種々変更実施可能なことは勿論である。
【符号の説明】
【００３５】
１…電線・ケーブル用巻取りドラム（巻取りドラム）
２…ドラム胴部
３、４…ドラム鍔部
５…締結部材
６、７…板
８…巻始口
９…アダプター
１０…本体部
１１…押さえ板部
１２…外面
１３…挿入穴
１４…規制面
１５…電線・ケーブル
１６…内面
１７…ステップル
１８…ステップル固定部
１９…空きスペース
【図１】
2010254381.tif 000003
【図２】
2010254381.tif 000004
【図３】
2010254381.tif 000005
【図４】
2010254381.tif 000006